【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
通信事業者のネットワークを介して無線装置からメッセージを受け取るように構成されている受け側のコンピューティングシステムにおいて、前記無線装置と以前のアドレスとの乖離に起因して前記無線装置に対する将来のメッセージに起こりうる宛先間違いを防ぐために前記無線装置に切断時間を設定するための方法であって、
前記通信事業者のネットワークを介して、一時的な指定アドレスを有する無線装置から第１のメッセージを受け取る行為と、
前記無線装置の切断時間を特定する行為であって、前記切断時間は該切断時間以降に前記一時的な指定アドレスを用いて前記無線装置へメッセージを発送すべきではない時間である行為と、
前記切断時間を超過したか否かを判定する行為と、
前記切断時間を超過していない場合に限り、前記一時的な指定アドレスを用いて前記無線装置へ第２のメッセージを発送する行為と
を備えることを特徴とする方法。
【請求項２】
前記無線装置へ第２のメッセージを発送する前記行為は、
前記第１のメッセージに対する応答を前記無線装置へ発送する行為であって、前記第２のメッセージが前記第１のメッセージに対する前記応答である行為
を備えることを特徴とする請求項１に記載の方法。
【請求項３】
前記無線装置へ第２のメッセージを発送する前記行為は、
前記第１のメッセージと相関性のないメッセージを発送する行為
を備えることを特徴とする請求項１に記載の方法。
【請求項４】
前記無線装置の切断時間を特定する前記行為は、
第３のメッセージからデータを読み取る行為であって、前記第３のメッセージは、前記第１のメッセージを前記無線装置から受け取った後に前記無線装置から受け取るメッセージである行為と、
前記読み取られたデータフィールドから前記切断時間を導出する行為と
を備えることを特徴とする請求項３に記載の方法。
【請求項５】
前記第３のメッセージから導出された前記切断時間は、前記無線装置と以前に関連付けられた任意の他の切断時間よりも後であることを特徴とする請求項４に記載の方法。
【請求項６】
前記通信事業者のネットワークを介して前記無線装置から第１のメッセージを受け取る前記行為は、
コネクションレスのプロトコルを用いて前記無線装置からメッセージを受け取る行為
を備えることを特徴とする請求項１に記載の方法。
【請求項７】
コネクションレスのプロトコルを用いて前記無線装置から第１のメッセージを受け取る前記行為は、
ＵＤＰを用いて前記無線装置からのメッセージを受け取る行為
を備えることを特徴とする請求項６に記載の方法。
【請求項８】
コネクションレスのプロトコルを用いて前記無線装置から第１のメッセージを受け取る前記行為は、
ＷＡＰを用いて前記無線装置からのメッセージを受け取る行為
を備えることを特徴とする請求項６に記載の方法。
【請求項９】
前記通信事業者のネットワークを介して前記無線装置から第１のメッセージを受け取る前記行為は、
ＴＣＰを用いて前記無線装置からメッセージを受け取る行為
を備えることを特徴とする請求項１に記載の方法。
【請求項１０】
前記メッセージの切断時間を特定する前記行為は、
前記第１のメッセージから時間を読み取る行為と、
前記読み取られた時間から前記切断時間を導出する行為と
を備えることを特徴とする請求項１に記載の方法。
【請求項１１】
前記メッセージの切断時間を特定する前記行為は、
前記切断時間を前記第１のメッセージから直接的に読み取る行為
を備えることを特徴とする請求項１に記載の方法。
【請求項１２】
前記メッセージの切断時間を特定する前記行為は、
前記第１のメッセージからデータフィールドを読み取る行為と、
前記読み取られたデータフィールドから前記切断時間を導出する行為と
を備えることを特徴とする請求項１に記載の方法。
【請求項１３】
前記メッセージの切断時間を特定する前記行為は、
既定値の切断時間が前記第２のメッセージに適用されることを判定する行為と、
前記既定値の切断時間を前記切断時間として適用する行為と
を備えることを特徴とする請求項１に記載の方法。
【請求項１４】
前記切断時間を超過した場合に限り前記一時的な指定アドレスを用いて前記無線装置へ前記第２のメッセージを発送する前記行為は、
前記切断時間を超過していないことを判定する行為と、
前記切断時間を超過していないと判定された後に前記一時的な指定アドレスを用いて前記第２のメッセージを発送する行為と
を備えることを特徴とする請求項１に記載の方法。
【請求項１５】
前記判定する行為は、前記切断時間を超過したことを判定する行為を備える請求項１に記載の方法であって、
前記無線装置が他の指定アドレスを有することを示す前記無線装置からの情報を受ける行為と、
前記他の指定アドレスを用いて前記第２のメッセージを発送する行為と
をさらに備えることを特徴とする方法。
【請求項１６】
前記判定する行為は、前記切断時間を超過したことを判定する行為を備える請求項１に記載の方法であって、
前記無線装置から前記受け側のコンピューティングシステムへ前記第１のメッセージを通信するために使われたトランスポート以外の代替のトランスポートを用いて前記第２のメッセージを発送する行為と
をさらに備えることを特徴とする方法。
【請求項１７】
通信事業者のネットワークを介して無線装置からメッセージを受け取るように構成されている受け側のコンピューティングシステムにおいて使用する１つまたは複数のコンピュータ可読媒体であって、前記無線装置と以前のアドレスとの乖離に起因して前記無線装置に対する将来のメッセージに起こりうる宛先間違いを防ぐために前記無線装置の切断時間を設定する方法を実行するためのコンピュータ可読媒体は、
前記通信事業者のネットワークを介して前記無線装置からの第１のメッセージの受領を検出するためのコンピュータ実行可能命令であって、前記無線装置は一時的な指定アドレスを有しているコンピュータ実行可能命令と、
前記無線装置の切断時間を特定するためのコンピュータ実行可能命令であって、前記切断時間は該切断時間以降に前記一時的な指定アドレスを用いて前記無線装置へメッセージを発送すべきではない時間であるコンピュータ実行可能命令と、
前記切断時間を超過したか否かを判定するためのコンピュータ実行可能命令と、
前記切断時間を超過した場合に限り前記一時的な指定アドレスを用いて第２のメッセージを前記無線装置へ発送させるためのコンピュータ実行可能命令と
を有するコンピュータプログラムを備えることを特徴とするコンピュータ可読媒体。
【請求項１８】
前記第２のメッセージを前記無線装置へ発送させるための前記コンピュータ実行可能命令は、
前記第１のメッセージに対する応答を前記無線装置へ発送させるためのコンピュータ実行可能命令であって、前記第２のメッセージは前記第１のメッセージに対する前記応答であるコンピュータ実行可能命令
を備えることを特徴とする請求項１７に記載のコンピュータ可読媒体。
【請求項１９】
第２のメッセージを前記無線装置へ発送させるための前記コンピュータ実行可能命令は、
前記第１のメッセージと相関性のないメッセージを発送させるためのコンピュータ実行可能命令
を備えることを特徴とする請求項１７に記載のコンピュータ可読媒体。
【請求項２０】
前記無線装置の切断時間を特定するための前記コンピュータ実行可能命令は、
第３のメッセージからデータを読み取るためのコンピュータ実行可能命令であって、前記第３のメッセージは、前記第１のメッセージを前記無線装置から受け取った後に前記無線装置から受け取ったメッセージであるコンピュータ実行可能命令と、
前記読み取られたデータフィールドから前記切断時間を導出するためのコンピュータ実行可能命令と
を備えることを特徴とする請求項１９に記載のコンピュータ可読媒体。
【請求項２１】
前記第３のメッセージから導出された前記切断時間は、前記無線装置と以前に関連付けられた任意の他の切断時間よりも後であることを特徴とする請求項２０に記載のコンピュータ可読媒体。
【請求項２２】
前記通信事業者のネットワークを介して前記無線装置からの第１のメッセージの受領を検出するための前記コンピュータ実行可能命令は、
コネクションレスのプロトコルを用いて前記無線装置からのメッセージの受領を検出するためのコンピュータ実行可能命令
を備えることを特徴とする請求項１７に記載のコンピュータ可読媒体。
【請求項２３】
コネクションレスのプロトコルを用いて前記無線装置からの第１のメッセージの受領を検出するための前記コンピュータ実行可能命令は、
ＵＤＰを用いて前記無線装置からのメッセージの受領を検出するためのコンピュータ実行可能命令
を備えることを特徴とする請求項２２に記載のコンピュータ可読媒体。
【請求項２４】
コネクションレスのプロトコルを用いて前記無線装置からの第１のメッセージの受領を検出するための前記コンピュータ実行可能命令は、
ＷＡＰを用いて前記無線装置からのメッセージの受領を検出するためのコンピュータ実行可能命令
を備えることを特徴とする請求項２２に記載のコンピュータ可読媒体。
【請求項２５】
前記通信事業者のネットワークを介して前記無線装置からの第１のメッセージの受領を検出するための前記コンピュータ実行可能命令は、
ＴＣＰを用いて前記無線装置からのメッセージの受領を検出するためのコンピュータ実行可能命令
を備えることを特徴とする請求項１７に記載のコンピュータ可読媒体。
【請求項２６】
前記メッセージの切断時間を特定するための前記コンピュータ実行可能命令は、
前記第１のメッセージから時間を読み取らせるためのコンピュータ実行可能命令と、
前記読み取られた時間から前記切断時間を導出するためのコンピュータ実行可能命令と
を備えることを特徴とする請求項１７に記載のコンピュータ可読媒体。
【請求項２７】
前記無線装置の切断時間を特定するための前記コンピュータ実行可能命令は、
前記第１のメッセージから前記切断時間を直接的に読み取らせるためのコンピュータ実行可能命令と
を備えることを特徴とする請求項１７に記載のコンピュータ可読媒体。
【請求項２８】
前記無線装置の切断時間を特定するための前記コンピュータ実行可能命令は、
前記第１のメッセージからデータフィールドを読み取らせるためのコンピュータ実行可能な命令と、
前記読み取られたデータフィールドから前記切断時間を導出するためのコンピュータ実行可能命令と
を備えることを特徴とする請求項１７に記載のコンピュータ可読媒体。
【請求項２９】
前記無線装置の切断時間を特定するための前記コンピュータ実行可能命令は、
既定値の切断時間が前記無線装置に適用されることを判定するためのコンピュータ実行可能命令と、
前記既定値の切断時間を前記切断時間として適用するためのコンピュータ実行可能命令と
を備えることを特徴とする請求項１７に記載のコンピュータ可読媒体。
【請求項３０】
前記切断時間を超過していない場合に限り前記無線装置へ第２のメッセージを発送させるための前記コンピュータ実行可能命令は、
前記切断時間を超過していないことを判定するためのコンピュータ実行可能命令と、
前記切断時間を超過していないことを判定するための前記コンピュータ実行可能命令が実行された後に前記第２のメッセージを発送させるためのコンピュータ実行可能命令と
を備えることを特徴とする請求項１７に記載のコンピュータ可読媒体。
【請求項３１】
前記判定するためのコンピュータ実行可能命令は、前記切断時間を超過したことを判定するためのコンピュータ実行可能命令を備える請求項３０に記載のコンピュータ可読媒体であって、前記１つまたは複数のコンピュータ可読媒体は、
前記無線装置が他の指定アドレスを有することを示す前記無線装置からの情報の受領を検出するためのコンピュータ実行可能命令と、
前記他の指定アドレスを用いて前記無線装置へ前記第２のメッセージを発送させるためのコンピュータ実行可能命令と
をさらに有するコンピュータプログラムを備えることを特徴とするコンピュータ可読媒体。
【請求項３２】
判定するための前記コンピュータ実行可能命令は、前記切断時間を超過したことを判定するためのコンピュータ実行可能命令を備える請求項３０に記載のコンピュータ可読媒体であって、前記１つまたは複数のコンピュータ可読媒体は、
前記無線装置から前記受け側のコンピューティングシステムへ前記第１のメッセージを通信するために使われた前記トランスポート以外の代替のトランスポートを用いて前記第２のメッセージを発送させるためのコンピュータ実行可能命令
をさらに有するコンピュータプログラムを備えることを特徴とするコンピュータ可読媒体。
【請求項３３】
前記１つまたは複数のコンピュータ可読媒体は、物理的な媒体であることを特徴とする請求項１７に記載のコンピュータ可読媒体。
【請求項３４】
前記物理的な媒体は、システムメモリであることを特徴とする請求項３３に記載のコンピュータ可読媒体。
【請求項３５】
前記物理的な媒体は、持続性のあるメモリであることを特徴とする請求項３３に記載のコンピュータ可読媒体。
【請求項３６】
通信事業者のネットワークを介して無線装置からのメッセージを受け取るように構成されている受け側のコンピューティングシステムにおいて、前記無線装置と以前のアドレスとの乖離に起因して前記無線装置に対する将来のメッセージに起こりうる宛先間違いを防ぐために前記無線装置に切断時間を設定するための方法であって、
前記通信事業者のネットワークを介して前記無線装置から第１のメッセージを受け取る行為と、
前記無線装置がまだ第２のメッセージを受け取る用意のある間に応答を発送する場合に限り前記無線装置へ前記第２のメッセージを送るステップと
を備えることを特徴とする方法。
【請求項３７】
前記無線装置がまだ第２のメッセージを受け取る用意のある間に応答を発送する場合に限り前記無線装置へ前記第２のメッセージを送る前記ステップは、
前記無線装置の切断時間を特定する行為であって、前記切断時間は該切断時間以降に前記無線装置が前記第１のメッセージを送信した時点で前記無線装置に割り当たられた一時的な指定アドレスを用いて前記無線装置へメッセージを発送すべきではない時間である行為と、
前記切断時間を超過したか否かを判定するための行為と、
前記切断時間を超過した場合に限り前記一時的な指定アドレスを用いて前記無線装置へ前記第２のメッセージを発送する行為と
を備えることを特徴とする請求項３６に記載の方法。
【請求項３８】
通信事業者のネットワークを介して受け側のコンピューティングシステムへメッセージを送るように構成された無線装置において、前記無線装置と以前のアドレスとの乖離に起因して前記無線装置に対する将来のメッセージに起こりうる宛先間違いを防ぐために前記無線装置に切断時間を設定するための方法であって、
切断時間を少なくとも間接的に表すデータフィールドを含むメッセージを構築する行為であって、前記切断時間は該切断時間以降に前記一時的な指定アドレスを用いて前記無線装置へメッセージを発送すべきではない時間である行為と、
前記通信事業者のネットワークに対するコネクションを確立する行為と、
前記通信事業者のネットワークを介して前記受け側のコンピューティングシステムへ前記メッセージを発送する行為と、
少なくとも前記メッセージが前記受け側のコンピューティングシステムへ発送された時間から少なくとも前記切断時間まで前記コネクションを維持する行為と、
前記切断時間を超過したことを判定する行為と、
前記コネクションを維持する前記行為の期間中に応答を受け取ったかどうかにかかわらず前記切断時間を超過したと判定された後に前記コネクションを廃止する行為と
を備えることを特徴とする方法。
【請求項３９】
前記コネクションを廃止する前記行為は、前記切断時間を超過していないと判定された後にも実行されることを特徴とする請求項３８に記載の方法。
【請求項４０】
前記通信事業者のネットワークを介して受け側のコンピューティングシステムへ前記メッセージを発送する前記行為は、
コネクションレスのプロトコルを用いて前記受け側のコンピューティングシステムへ前記メッセージを発送する行為
を備えることを特徴とする請求項３８に記載の方法。
【請求項４１】
コネクションレスのプロトコルを用いて前記受け側のコンピューティングシステムへ前記メッセージを発送する前記行為は、
ＵＤＰを用いて前記受け側のコンピューティングシステムへ前記メッセージを発送する行為
を備えることを特徴とする請求項４０に記載の方法。
【請求項４２】
コネクションレスのプロトコルを用いて前記受け側のコンピューティングシステムへ前記メッセージを発送する前記行為は、
ＷＡＰを用いて前記受け側のコンピューティングシステムへ前記メッセージを発送する行為
を備えることを特徴とする請求項４０に記載の方法。
【請求項４３】
前記通信事業者のネットワークを介して前記受け側のコンピューティングシステムへ前記メッセージを発送する前記行為は、
ＴＣＰを用いて前記受け側のコンピューティングシステムへ前記メッセージを発送する行為
を備えることを特徴とする請求項３８に記載の方法。
【請求項４４】
切断時間を少なくとも間接的に表すデータフィールドを含むメッセージを構築する前記行為は、
前記切断時間を含むメッセージを構築する行為
を備えることを特徴とする請求項３８に記載の方法。
【請求項４５】
切断時間を少なくとも間接的に表すデータフィールドを含むメッセージを構築する前記行為は、
前記切断時間を導出することのできる時間を含むメッセージを構築する行為
を備えることを特徴とする請求項３８に記載の方法。
【請求項４６】
切断時間を少なくとも間接的に表すデータフィールドを含むメッセージを構築する前記行為は、
前記切断時間を導出することのできるデータフィールドを含むメッセージを構築する行為
を備えることを特徴とする請求項３８に記載の方法。
【請求項４７】
前記コネクションが維持されている前記時間の間に前記メッセージに対する応答を受け取る行為をさらに備えることを特徴とする請求項３８に記載の方法。
【請求項４８】
通信事業者のネットワークを介して受け側のコンピューティングシステムへメッセージを送るように構成された無線装置において使用する１つまたは複数のコンピュータ可読媒体であって、前記無線装置と以前のアドレスとの乖離に起因して前記無線装置に対する将来のメッセージに起こりうる宛先間違いを防ぐために前記無線装置の切断時間を設定する方法を実現するためのコンピュータ可読媒体は、
切断時間を少なくとも間接的に表すデータフィールドを含むメッセージを構築するためのコンピュータ実行可能命令であって、前記切断時間は該切断時間以降に前記無線装置に割り当てられている一時的な指定アドレスを用いて前記無線装置へ前記メッセージを発送すべきではない時間であるコンピュータ実行可能命令と、
前記通信事業者のネットワークに対してコネクションを確立させるためのコンピュータ実行可能命令と、
前記通信事業者のネットワークを介して前記受け側のコンピューティングシステムへ前記メッセージを発送させるコンピュータ実行可能命令と、
少なくとも前記メッセージが前記受け側のコンピューティングシステムへ発送された時間から少なくとも前記切断時間まで前記コネクションを維持させるコンピュータ実行可能命令と、
前記切断時間を超過したことを判定するためのコンピュータ実行可能命令と、
前記コネクションを維持する前記行為の期間中に応答を受け取ったかどうかにかかわらず前記切断時間を超過したと判定された後に前記コネクションを廃止させるためのコンピュータ実行可能命令と
を有するコンピュータプログラムを備えることを特徴とするコンピュータ可読媒体。
【請求項４９】
前記コネクションを廃止するための前記コンピュータ実行可能命令は、前記切断時間を超過していないと判定された後にも実行されることを特徴とする請求項４８に記載のコンピュータ可読媒体。
【請求項５０】
前記通信事業者のネットワークを介して前記受け側のコンピューティングシステムへ前記メッセージを発送させるためのコンピュータ実行可能命令は、
コネクションレスのプロトコルを用いて前記受け側のコンピューティングシステムへ前記メッセージを発送させるための前記コンピュータ実行可能命令
を備えることを特徴とする請求項４８に記載のコンピュータ可読媒体。
【請求項５１】
コネクションレスのプロトコルを用いて前記受け側のコンピューティングシステムへ前記メッセージを発送させるためのコンピュータ実行可能命令は、
ＵＤＰを用いて前記受け側のコンピューティングシステムへ前記メッセージを発送させるためのコンピュータ実行可能命令
を備えることを特徴とする請求項４８に記載のコンピュータ可読媒体。
【請求項５２】
コネクションレスのプロトコルを用いて前記受け側のコンピューティングシステムへ前記メッセージを発送させるためのコンピュータ実行可能命令は、
ＷＡＰを用いて前記受け側のコンピューティングシステムへ前記メッセージを発送させるためのコンピュータ実行可能命令
を備えることを特徴とする請求項４８に記載のコンピュータ可読媒体。
【請求項５３】
前記通信事業者のネットワークを介して前記受け側のコンピューティングシステムへ前記メッセージを発送させるための前記コンピュータ実行可能命令は、
ＴＣＰを用いて前記受け側のコンピューティングシステムへ前記メッセージを発送させるためのコンピュータ実行可能命令
を備えることを特徴とする請求項４８に記載のコンピュータ可読媒体。
【請求項５４】
切断時間を少なくとも間接的に表すデータフィールドを含むメッセージを構築するための前記コンピュータ実行可能命令は、
前記切断時間を含むメッセージを構築するためのコンピュータ実行可能命令
を備えることを特徴とする請求項４８に記載のコンピュータ可読媒体。
【請求項５５】
切断時間を少なくとも間接的に表すデータフィールドを含むメッセージを構築するための前記コンピュータ実行可能命令は、
前記切断時間を導出することのできる時間を含むメッセージを構築するためのコンピュータ実行可能命令
を備えることを特徴とする請求項４８に記載のコンピュータ可読媒体。
【請求項５６】
切断時間を少なくとも間接的に表すデータフィールドを含むメッセージを構築するための前記コンピュータ実行可能命令は、
前記切断時間を導出することのできるデータフィールドを含むメッセージを構築するためのコンピュータ実行可能命令
を備えることを特徴とする請求項４８に記載のコンピュータ可読媒体。
【請求項５７】
請求項４８に記載のコンピュータ可読媒体であって、前記１つまたは複数のコンピュータ可読媒体は、
前記コネクションが維持されている前記時間の間に前記メッセージに対する応答の受領を検出するためのコンピュータ実行可能命令
をさらに有するコンピュータプログラムを備えることを特徴とするコンピュータ可読媒体。
【請求項５８】
前記１つまたは複数のコンピュータ可読媒体は、物理的な媒体であることを特徴する請求項４８に記載のコンピュータ可読媒体。
【請求項５９】
前記物理的な媒体は、システムメモリであることを特徴とする請求項５８に記載のコンピュータ可読媒体。
【請求項６０】
前記物理的な媒体は、持続性のあるメモリであることを特徴とする請求項５８に記載のコンピュータ可読媒体。
【請求項６１】
メッセージを表すデータ構造を有する１つまたは複数のコンピュータ可読媒体であって、前記データ構造は、
前記メッセージの内容を特定する内容フィールドと、
無線装置に割り当てられた一時的なネットワークアドレスの識別情報と、
前記無線装置が通信事業者のネットワークから接続を断つことを計画し、その結果前記一時的なネットワークアドレスを失った時間を示す切断時間フィールドと
を備えることを特徴とするコンピュータ可読媒体。